(57)【要約】【課題】通話を望まない相手からの着信に対して、より自然に通話品質を悪化させ意図的な切断であると推認されることなく通話を切断する。【解決手段】通話を望まない相手からの着信のとき、機能キーを押下(S101,Yes)して通話を開始する(S102)と、移動端末の制御部は基地局からのTPCコマンドを無視して移動端末送信出力を一定レベル低下させる(S103)。その結果、基地局と移動端末間の無線リンクの同期はずれが発生すれば(S104,Yes)回線が自動的に切断され通話が終了する(S105)。(S104,No)の場合に、ユーザーが任意時間後に再度機能キーを押下すると(S106,Yes)、移動端末の制御部は移動端末送信出力を更に一定レベル低下させ(S103)、同期はずれが発生するまで(S106,Yes)を繰り返すことにより、最終的に通話を終了させる(S105)。またユーザーが通話中に機能キーを押下しても(S108,Yes)、本発明の機能が有効となる。【選択図】図４
2007336001.tif 000002
【特許請求の範囲】
【請求項１】
電話機能を有する移動端末において、着信時または通話中に特定のキースイッチが押下される毎に、該移動端末から送信される前記通話中の無線送信電力を一定レベルずつ低下させる送信電力制御手段を備え、前記通話を該送信電力制御手段により切断可能にしたことを特徴とする移動端末。
【請求項２】
前記特定のキースイッチは、前記通話中に押下された時に前記通話中の無線送信電力を一定レベル低下させるための専用のキースイッチとして当該移動端末に設けられていることを特徴とする請求項１に記載の移動端末。
【請求項３】
前記特定のキースイッチは、当該移動端末に設けられている他の機能のためのキースイッチと兼用されており、該兼用のキースイッチが前記通話中に押下された時に前記通話中の無線送信電力を一定レベル低下させる機能が実行されることを特徴とする請求項１に記載の移動端末。
【請求項４】
当該移動端末に設けられている（０）〜（９）までのナンバーキーが前記特定のキースイッチとして兼用され、かつ通話中に押下された時に前記通話中の無線送信電力を低下するレベルの値が前記ナンバーキー毎に設定されていることを特徴とする請求項３に記載の移動端末。
【請求項５】
電話機能を有する移動端末において、着信時または通話中に特定のキースイッチが押下される毎に、該通話を接続している無線基地局に対して、該無線基地局から出力される送信電力の減少を指示するＴＰＣコマンドを送信する送信電力制御手段を備え、前記通話を該送信電力制御手段により切断可能にしたことを特徴とする移動端末。
【請求項６】
前記特定のキースイッチは、前記通話中に押下された時に前記通話を接続している無線基地局に対して、該無線基地局から出力される送信電力の減少を指示するＴＰＣコマンドを送信するための専用のキースイッチとして当該移動端末に設けられていることを特徴とする請求項５に記載の移動端末。
【請求項７】
前記特定のキースイッチは、当該移動端末に設けられている他の機能のためのキースイッチと兼用されており、該兼用のキースイッチが前記通話中に押下された時に前記通話を接続している無線基地局に対して、該無線基地局から出力される送信電力の減少を指示するＴＰＣコマンドを送信する機能が実行されることを特徴とする請求項５に記載の移動端末。
【請求項８】
当該移動端末に設けられている（０）〜（９）までのナンバーキーが前記特定のキースイッチとして兼用され、かつ通話中に押下された時に前記無線基地局から出力される送信電力の減少を指示するＴＰＣコマンドを送信する頻度がナンバーキー毎に設定されていることを特徴とする請求項７に記載の移動端末。
【請求項９】
前記送信電力制御手段により切断した通話相手の電話番号を記憶する手段と、該記憶手段に記憶されている電話番号からの着信時に、通話不可能メッセージを通知して通話切断する手段を備えていることを特徴とする請求項１〜８のいずれか１項に記載の移動端末。
【発明の詳細な説明】
【技術分野】
【０００１】
本発明は、携帯電話機等の移動端末に関し、特に、通話を希望しない相手からの着信を切断する技術に関する。
【背景技術】
【０００２】
近年、多くの人が携帯電話機能を有する移動端末を所有するようになり、その所有率は今後益々増加することが予想される。携帯電話は基地局との無線通信が可能なエリアであればいつでも容易に発着信ができるという大きな利点があるが、その利点がゆえに、たとえ好ましくない相手からの着信であっても、着信に応答せざるを得ないと感じてしまう人も多い。
【０００３】
そのため、従来、通信中に、その通信の相手先を好ましくないものと判断した場合等に、迷惑電話防止キーを押下するとその通信が切断されてネットワークが提供する着信拒否のためのサービスに接続されるとともに、その相手先からの以後の着信を拒否するための登録が行われ、この登録してある好ましくない相手からの着信を拒絶する技術が特許文献１等において提案されている。
【０００４】
しかし、迷惑電話とまでは言わないまでも好ましくない相手から移動通信機器に着信があった際、着信に対して応答しない、または、応答した後すぐに電話を切ってしまうと、相手にはかなりの悪印象を与えかねず、以後の対人関係に影響を及ぼす心配がある。そのため、携帯電話を所有する人の中には、音声着信があったとき、本当は電話に出ることに乗り気ではないが、社会的な面や対人的な面を気にするが故に、やむを得ず着信に応じてしまうという場合も少なくない。
【０００５】
このような問題の解消手段として、特許文献２では、特定のキースイッチの操作に応答して通話中の送信レベルと受信レベル又はいずれか一方のレベルを徐々に引き下げるレベル変更手段を備え、通話中に特定のキースイッチを操作すると、通話中の送信レベルと受信レベル又はいずれか一方のレベルを一定の割合で徐々に引き下げることにより通話品質を徐々に悪くして通話を断続させ、最終的に切断状態とすることによって、恰も移動端末が電波環境の悪いエリアに移動したかのような現象を演出することで、通話相手に礼を失しないようにして一方的に通話を切断する技術が提案されている。
【０００６】
【特許文献１】特開平０９−１１６６２０号公報
【特許文献２】特開平１１−２７５１８５号公報
【発明の開示】
【発明が解決しようとする課題】
【０００７】
上記特許文献２に記載の技術によれば、携帯電話機に対して好ましくない相手からの着信があった場合に、通話品質を自動的にかつ徐々に悪くし、最終的に切断状態に移行させる手段を備えているので、発信者からは意図的に通信を遮断したと思われず、今後の対人関係を円滑に保つことを助ける効果があるが、特許文献２に記載の技術の場合、通話中に特定のキースイッチを操作すると、それ以降は、予め設定された一定のパターンに従って通話品質が悪化していくので、同じパターンにより何度も繰り返し通信切断が行われると、相手に意図的な切断であると推認され、対人関係を逆に悪化させる要因にもなりかねない。
【０００８】
本発明は、上記問題点に鑑み、好ましくない相手からの着信の切断に際して、より自然に通話品質の悪化を演出して、相手に意図的な切断であると推認されることなく通話切断を可能にする手段を提供することにある。
【課題を解決するための手段】
【０００９】
本発明は、移動通信に用いられる移動端末において、好ましくない相手からの着信に対して、段階的に送信電力をコントロールして最終的に通信を終了する際に、ユーザーが相手との通話中にこの送信電力コントロールパターンを任意に操作可能にする手段を設けることにより、発信者からは意図的に通信を遮断したと思われずに通話を拒絶して、今後の対人関係に支障を来たさないようにすることを特徴とする。
【００１０】
具体的には、本発明の電話機能を有する移動端末は、着信時または通話中に特定のキースイッチが押下される毎に、該移動端末から送信される前記通話中の無線送信電力を一定レベルずつ低下させる送信電力制御手段を備え、前記通話を該送信電力制御手段により切断可能にしたことを特徴としている。
【００１１】
また本発明の他の実施形態の電話機能を有する移動端末は、着信時または通話中に特定のキースイッチが押下される毎に、該通話を接続している無線基地局に対して、該無線基地局から出力される送信電力の減少を指示するＴＰＣコマンドを送信する送信電力制御手段を備え、前記通話を該送信電力制御手段により切断可能にしたことを特徴としている。
【００１２】
また本発明の電話機能を有する移動端末は、前記送信電力制御手段により切断した通話相手の電話番号を記憶する手段と、該記憶手段に記憶されている電話番号からの着信時に、通話不可能メッセージを通知して通話切断する手段を備えた構成とすることができる。
【００１３】
本発明では、ユーザー主導で移動端末の送信電力をコントロールし、着信を受けたユーザーが十分な通信が可能ではないことを発信者へ暗示することにより、自然と通信を切断することができるので、相手には故意に電話を切断したと思われることなく、通信を終了することができる。
【発明の効果】
【００１４】
本発明によれば、ユーザーが段階的に移動端末の送信電力を落とす際に、その送信電力のコントロールパターンをその場に応じて直接調整することで、着信毎に送信電力コントロールパターンを異ならせることができるので、ユーザーが意図的に通話を終了させようとしていることを、発信者に意識させずに通話を切断して終了させることが可能となる。
【発明を実施するための最良の形態】
【００１５】
図１は、本発明を適用可能な携帯電話機の一例を示す外観図であり、前面にスピーカ（受話器）４、液晶などの表示部６が設けられている第１の筐体１と、前面にマイク（送話器）５、キースイッチ群７が設けられている第１の筐体２が、ヒンジ部３で折りたたみ可能に構成されている。
【００１６】
キースイッチ群７には、一般に、オンフックキー、オフフックキー、（０）〜（９）までのナンバーキー、アスタリスク（＊）キー、シャープ（＃）キー、電源キー、モードキー、クリアキーなどが配置されているが、本実施形態の携帯電話機では、これらのキーに加えて、本発明の動作を実行するための機能キー７ｆを、独立のキーとしてあるいは既存のキーに兼用させて備えている。
【００１７】
図２は、図１に示す携帯電話機の回路ブロック構成の一例を示している。図２において、制御部１３は、記憶部１６に格納されている制御プログラムとキースイッチ群７を備えた操作部からの指示に従って、この携帯電話機が備えている各種機能の実行を制御するが、本発明と直接関連する制御として、通話中に機能キー７ｆの押下を検出し、機能キー７ｆが押下される毎に、後述する制御信号を無線処理部１２に送出する機能を有している。
【００１８】
無線処理部１２は、アンテナ１１を介して基地局を経由した電話等の無線送受信を実行するとともに、基地局からの信号受信品質の測定、および基地局の報知情報を受信する機能を有している。また、音声処理部１４、スピーカ（受話器）１８、マイク（送話器）１９、表示部１７等は、携帯電話機が備えている通常の機能を実行するものである。なお、図示していないが、その他に、動作電源としてのバッテリー、着呼通知手段等を含んでいる。
【００１９】
図３は、本実施形態を適用可能な携帯電話システムの一例を示しており、無線ネットワーク制御装置（以下ＲＮＣ（Radio Network Controller）と呼ぶ）と、ＲＮＣ配下に属する無線基地局装置（以下Ｎｏｄｅ-Ｂと呼ぶ）から構成されている。
【００２０】
通常、携帯電話機等の移動端末から送信されるパイロット信号のＳＩＲ（Signal To Interference Ratio）に対応して、移動端末からの送信電力が制御される。つまり、移動端末から送信されるパイロット信号のＳＩＲが所定より良かったことをＮｏｄｅ-Ｂが計測すると、Ｎｏｄｅ-Ｂは移動端末に送信電力の減少を指示するＴＰＣ（Transmit
Power Control）コマンドを送信する。移動端末が送信したパイロット信号のＳＩＲが所定より悪かったことをＮｏｄｅ-Ｂが計測すると、Ｎｏｄｅ-Ｂは移動端末に送信電力の増加を指示するＴＰＣコマンドを送信する。
【００２１】
一方、Ｎｏｄｅ-Ｂから送信されるパイロット信号のＳＩＲに対応して、Ｎｏｄｅ-Ｂからの送信電力が制御される。つまり、Ｎｏｄｅ-Ｂから送信されるパイロット信号のＳＩＲが所定より良かったことを移動端末が計測すると、移動端末はＮｏｄｅ-Ｂに送信電力の減少を指示するＴＰＣコマンドを送信する。また、Ｎｏｄｅ-Ｂが送信したパイロット信号のＳＩＲが所定より悪かったことを移動端末が計測すると、移動端末はＮｏｄｅ-Ｂに送信電力の増加を指示するＴＰＣコマンドを送信する。
【００２２】
図４は、本発明の実施形態を示す移動端末の動作フローチャートである。以下、図４を参照して本実施形態の動作について説明する。
【００２３】
移動端末に着信があった場合（Ｓ１００）、ユーザーが着信通知から発信者を確認し、ユーザーにとって好ましくない相手からの着信のときには、まず機能キー７ｆを押下（Ｓ１０１，Ｙｅｓ）してから通話を開始する（Ｓ１０２）。移動端末の制御部１３は、機能キー７ｆが押下された事を検出したときには、Ｎｏｄｅ-ＢからのＴＰＣコマンドを無視して無線処理部１２を制御し、無線処理部１２からの送信出力を一定レベル低下させる（Ｓ１０３）。Ｓ１０３で送信出力を一定レベル低下させた結果、Ｎｏｄｅ-Ｂと移動端末間の無線リンクの同期はずれが発生すれば（Ｓ１０４，Ｙｅｓ）、回線が自動的に切断され、通話が終了する（Ｓ１０５）。
【００２４】
Ｓ１０３で送信出力を一定レベル低下させてもＮｏｄｅ-Ｂと移動端末間の無線リンクの同期はずれが発生せずに通話可能である場合（Ｓ１０４，Ｎｏ）に、ユーザーが任意時間後に再度機能キー７ｆを押下すると（Ｓ１０６，Ｙｅｓ）、制御部１３は無線処理部１２を制御して、無線処理部１２からの送信出力を更に一定レベル低下させる（Ｓ１０３）。上記動作をＮｏｄｅ-Ｂと移動端末間の無線リンクの同期はずれが発生するまで繰り返すことにより、最終的に回線が自動切断され、通話を終了させること（Ｓ１０５）ができる。
【００２５】
また、やむを得ずまたは発信者を確認しないで機能キー７ｆを押下することなく（Ｓ１０１，Ｎｏ）着信に応答し、通話が開始された場合（Ｓ１０７）であっても、ユーザーが通話中に機能キー７ｆを押下すると（Ｓ１０８，Ｙｅｓ）、本実施形態の機能が有効となり、Ｓ１０３以降の動作に移行させることができるので、ユーザーは無線処理部１２からの送信出力レベルを適宜のパターンで低下させることにより回線を切断して通話を終了させること（Ｓ１０５）ができる。
【００２６】
本実施形態によれば、ユーザーが手動で移動端末から基地局へ送信される送信電力を任意にコントロールできるので、より自然に通話終了までを演出することができ、相手には故意に電話を切断したと思われることなく、通信を終了することが可能となる。
【００２７】
なお、上記実施形態では、通話中の送信出力を低下させるための専用の機能キー７ｆを設け、この機能キー７ｆを押下する毎に、移動端末からの無線送信出力レベルを一定レベルずつ低下させたが、携帯電話機としての移動端末に備えられている（０）〜（９）までのナンバーキーを、無線送信出力制御用のキーとして兼用し、例えば着信応答時に、ナンバー（９）キーを押すと、移動端末の送信電力が少し規制され、ナンバー（８）キーを押すとさらに移動端末の送信電力が規制されるようにし、以下、ナンバー（７）キー，ナンバー（６）キー，・・・を押す毎に移動端末の送信電力を任意の割合で順次低下させていき、最終的に回線を切断する方法、あるいは例えばナンバー（１）キーに機能キー７ｆの機能を兼用させ、着信時あるいは通話中、ナンバー（１）キーを押下する毎に、移動端末からの無線送信出力レベルを一定レベルずつ低下させて、最終的に回線を切断する方法等を採用することもできる。
【００２８】
図５は、本発明の他の実施形態を示す移動端末の動作フローチャートである。図４に示す実施形態では、制御部１３は移動端末の無線処理部１２から出力される送信電力を直接規制しているが、本実施形態では、Ｎｏｄｅ-Ｂから移動端末へ送信される電力を規制する方法を採用している。
【００２９】
前記したように、通常、Ｎｏｄｅ-Ｂから送信されるパイロット信号のＳＩＲに対応して、Ｎｏｄｅ-Ｂからの送信電力が制御される。つまり、Ｎｏｄｅ-Ｂから送信されるパイロット信号のＳＩＲが所定より良かったことを移動端末が計測すると、移動端末はＮｏｄｅ-Ｂに送信電力の減少を指示するＴＰＣコマンドを送信する。また、Ｎｏｄｅ-Ｂが送信したパイロット信号のＳＩＲが所定より悪かったことを移動端末が計測すると、移動端末はＮｏｄｅ-Ｂに送信電力の増加を指示するＴＰＣコマンドを送信する。
【００３０】
そこで本実施形態では、ユーザーが、着信に応答する前または着信後に機能ボタン７ｆを押下し、本機能を有効にすると、移動端末の制御部１３は、上記の電力制御方法とは無関係に、Ｎｏｄｅ-Ｂからの送信電力を減少させるようにＴＰＣコマンドを送信する。このＴＰＣコマンドの送信が繰り返される中で、最終的にＮｏｄｅ-Ｂと移動端末の間の無線リンクの同期はずれが発生して、回線が切断され通話が終了する。以下、図５を参照して本実施形態の動作について説明する。
【００３１】
移動端末に着信があった場合（Ｓ２００）、ユーザーが着信通知から発信者を確認し、ユーザーにとって好ましくない相手からの着信のときには、まず機能キー７ｆを押下（Ｓ２０１，Ｙｅｓ）してから通話を開始する（Ｓ２０２）。移動端末の制御部１３は、機能キー７ｆが押下された事を検出すると、Ｎｏｄｅ-Ｂに対してＮｏｄｅ-Ｂから出力される送信電力の減少を指示するＴＰＣコマンドを、無線処理部１２を介して送信する（Ｓ２０３）。このＴＰＣコマンドを受信したＮｏｄｅ-Ｂが当該移動端末に対する送信電力を所定レベル低下させた結果、Ｎｏｄｅ-Ｂと移動端末間の無線リンクの同期はずれが発生すれば（Ｓ２０４，Ｙｅｓ）、回線が自動的に切断され、通話が終了する（Ｓ２０５）。
【００３２】
一方、Ｎｏｄｅ-Ｂが当該移動端末に対する送信電力を所定レベル低下させてもＮｏｄｅ-Ｂと移動端末間の無線リンクの同期はずれが発生せずに通話可能である場合（Ｓ２０４，Ｎｏ）に、ユーザーが任意時間後に再度機能キー７ｆを押下すると（Ｓ２０６，Ｙｅｓ）、制御部１３は、再びＮｏｄｅ-Ｂに対してＮｏｄｅ-Ｂから出力される送信電力の減少を指示するＴＰＣコマンドを、無線処理部１２を介して送信する（Ｓ２０３）。上記動作をＮｏｄｅ-Ｂと移動端末間の無線リンクの同期はずれが発生するまで繰り返すことにより、最終的に回線が自動切断され、通話を終了させること（Ｓ２０５）ができる。
【００３３】
また、やむを得ずまたは発信者を確認しないで機能キー７ｆを押下することなく（Ｓ２０１，Ｎｏ）着信に応答し、通話が開始された場合（Ｓ２０７）であっても、ユーザーが通話中に機能キー７ｆを押下すると（Ｓ２０８，Ｙｅｓ）、本実施形態の機能が有効となり、Ｓ２０３以降の動作に移行させることができるので、回線を切断して通話を終了させること（Ｓ２０５）ができる。
【００３４】
なお、本実施形態の場合も、移動端末に専用の機能キー７ｆを設ける代わりに、携帯電話機としての移動端末に備えられている（０）〜（９）までのナンバーキーを、Ｎｏｄｅ-Ｂから出力される送信電力の減少を指示するＴＰＣコマンドの送信指示キーとして兼用させることができ、例えば（０）〜（９）のナンバーキーのいずれが押下されたかに応じて、送信電力を下げるＴＰＣコマンドの送信頻度を変更させる方法、あるいは、例えばナンバー（１）キーに機能キー７ｆの機能を兼用させ、着信時あるいは通話中、ナンバー（１）キーを押下する毎に、Ｎｏｄｅ-Ｂから出力される送信電力の減少を指示するＴＰＣコマンドを送信することにより、最終的に回線を切断する方法等を採用することができる。
【００３５】
従って、本実施形態においても、ユーザーが手動でＮｏｄｅ-Ｂから移動端末へ送信される送信電力を任意にコントロールできるので、より自然に通話終了までを演出することができ、相手には故意に電話を切断したと思われることなく、通信を終了することが可能となる。
【００３６】
なお、このようにして通話切断が生ずると、発信者は相手移動端末が電波環境の悪いエリアに移動したためと推認し、しばらくして再度発信することが予測されるので、この通話切断処理を実行した相手電話番号を記憶しておき、その後該記憶されている相手番号からの再着呼があった場合には、現在移動端末は電波の届かないエリアにいるため接続できない旨のメッセージ等を発信者の携帯端末に通知して通話切断処理を実行するように制御することにより、相手からの再発信に対して悪印象を与えることなく拒否することができる。
【図面の簡単な説明】
【００３７】
【図１】本発明を適用可能な携帯電話機の一例を示す外観図である。
【図２】図１に示す携帯電話機が備えている主な回路ブロック構成図である。
【図３】本実施形態を適用可能な携帯電話システムの一例を示す概略図である。
【図４】本発明の実施形態を示す移動端末の動作フローチャートである。
【図５】本発明の他の実施形態を示す移動端末の動作フローチャートである。
【符号の説明】
【００３８】
１  第１の筐体
２  第２の筐体
３  ヒンジ部
４  受話部
５  送話部
６  表示部
７  キースイッチ群
７ｆ  機能キー
１１  アンテナ
１２  無線処理部
１３  制御部
１４  音声処理部
１５  操作部
１６  記憶部
１７  表示部
１８  スピーカ
１９  マイク
【図１】
2007336001.tif 000003
【図２】
2007336001.tif 000004
【図３】
2007336001.tif 000005
【図４】
2007336001.tif 000006
【図５】
2007336001.tif 000007